(57)【要約】【課題】本発明は、集塵性能を向上させた床面吸込口体を有する電気掃除機を提供すること。【解決手段】課題を解決するには、電動送風機及び集塵部を備える本体と、一端が前記本体に接続し、他端に手元ハンドル体を備えるホースと、手元ハンドル体に接続する延長管と、延長管に接続する床面吸込口体を備えた電気掃除機において、床面吸込口体は、外郭を構成するケースと、ケースの下面に設けられる下カバーと、被清掃面から塵挨をかきだす回転ブラシと、延長管と接続する継手管を有し、ケースの下面には、塵挨を取り込む部位であると共に回転ブラシが設けられる吸込み室が形成され、吸込み室を形成する後側の壁である後壁には、取り込んだ塵挨を継手管へ送る後開口が形成され、後壁は、後開口に近い部分ほど前記回転ブラシとの距離が遠くなり、下カバーは、後壁の下端から前記回転ブラシの間の部分を覆うように設けられるように構成すればよい。【選択図】図６
2017018413.tif 000002
【特許請求の範囲】
【請求項１】
電動送風機及び集塵部を備える本体と、一端が前記本体に接続し、他端に手元ハンドル体を備えるホースと、前記手元ハンドル体に接続する延長管と、前記延長管に接続する床面吸込口体を備えた電気掃除機において、
前記床面吸込口体は、外郭を構成するケースと、前記ケースの下面に設けられる下カバーと、被清掃面から塵挨をかきだす回転ブラシと、前記延長管と接続する継手管を有し、
前記ケースの下面には、塵挨を取り込む部位であると共に回転ブラシが設けられる吸込み室が形成され、
前記吸込み室を形成する後側の壁である後壁には、取り込んだ塵挨を前記継手管へ送る後開口が形成され、
前記後壁は、前記後開口に近い部分ほど前記回転ブラシとの距離が遠くなり、
前記下カバーは、前記後壁の下端から前記回転ブラシの間の部分を覆うように設けられることを特徴とする電気掃除機。
【請求項２】
前記下カバーは平板形状であり、前記継手管の下方に至ることを特徴とする請求項１に記載の電気掃除機。
【請求項３】
前記下カバーは、透明な材料により構成されたことを特徴とする請求項２に記載の電気掃除機。
【請求項４】
前記下カバーの前記回転ブラシの後方となる位置に、Ｖ字形状となる拭き部材を設けたことを特徴とする請求項１に記載の電気掃除機。
【発明の詳細な説明】
【技術分野】
【０００１】
本発明は、清掃する位置である被清掃面である床面から塵挨をかき出して吸引する床面吸込口体を有する電気掃除機に関するものである。
【背景技術】
【０００２】
従来から、内部に電動送風機と集塵部を有する本体と、この本体にホースを介して接続する手元ハンドル体（把持部）と、この手元ハンドル体に接続する延長管と、この延長管に接続する床面吸込口体を有する電気掃除機がある。
この様な床面吸込口体は、下方向に開口する凹部を有し、この凹部の内部に回転ブラシが回転自在に保持されている。また、凹部の回転ブラシの後方に位置する壁面の左右方向の中央部分には、凹部内に取り込んだ塵挨を掃除機本体に流すための開口が形成されている（例えば、特許文献１参照）。
【先行技術文献】
【特許文献】
【０００３】
【特許文献１】特開２０１４−２１３００９号公報
【発明の概要】
【発明が解決しようとする課題】
【０００４】
このような従来の床面吸込口体では、回転ブラシの後方に位置する壁面が、回転ブラシの回転軸に対して平行であるため、吸込口体の中央部のごみはよく取れるが、吸込口体両サイドは中央部に比べてごみ取り性能が低下する傾向にある。その要因は回転ブラシの直後に壁が存在するため、回転ブラシによって掻き上げた塵挨が壁に直撃して中央部の吸い込み風路にうまく導かれないといった課題がある。
また、回転ブラシと壁面との距離が均一のため、床面吸込口体の凹部の内部において、真空度が左右の端側に比べて中央部が著しく高いという課題がある。
【０００５】
本発明は、上記のような課題を解決する為になされたもので、集塵性能をより向上させた床面吸込口体を有する電気掃除機を提供することを目的とする。
【課題を解決するための手段】
【０００６】
課題を解決するには、電動送風機及び集塵部を備える本体と、一端が前記本体に接続し、他端に手元ハンドル体を備えるホースと、手元ハンドル体に接続する延長管と、延長管に接続する床面吸込口体を備えた電気掃除機において、床面吸込口体は、外郭を構成するケースと、ケースの下面に設けられる下カバーと、清掃位置から塵挨をかきだす回転ブラシと、延長管と接続する継手管を有し、ケースの下面には、塵挨を取り込む部位であると共に回転ブラシが設けられる吸込み室が形成され、吸込み室を形成する後側の壁である後壁には、取り込んだ塵挨を継手管へ送る後開口が形成され、後壁は、後開口に近い部分ほど前記回転ブラシとの距離が遠くなり、下カバーは、後壁の下端から前記回転ブラシの間の部分を覆うように設けられるように構成すればよい。
【発明の効果】
【０００７】
本発明によれば、集塵性能をより向上させた床面吸込口体を有する電気掃除機を提供することが可能となる。
【図面の簡単な説明】
【０００８】
【図１】電気掃除機の全体斜視図
【図２】床面吸込口体の側面図１
【図３】床面吸込口体の上方から見た平面図
【図４】床面吸込口体の継手部と上ケースが外れた状態を示す分解斜視図
【図５】床面吸込口体の底面図
【図６】床面吸込口体の下カバーが外れた状態を示す分解斜視図
【図７】床面吸込口体から下カバーを外した状態を示す底面から見た概略図
【図８】図５のＡ−Ａ断面図
【図９】下カバーの斜視図
【発明を実施するための形態】
【０００９】
以下、図１〜図９を参照して本発明の実施の形態を説明する。
まず、図１を参照して、電気掃除機１について説明する。図１は、実施の形態における電気掃除機１を示す図である。
図１に示す電気掃除機１は、床面上より塵挨を吸引する際の形態となっている。電気掃除機１は、本体（掃除機本体）２、ホース３、手元ハンドル体４、延長管５、床面吸込口体６を備える。
床面吸込口体６は、下向きに形成された開口（吸込み室開口６４ｈ）から、床面上のごみ（塵埃）を空気と一緒に内部に取り込む部位である。この床面吸込口体６の吸気側の端部には、延長管５と接続する継手管７が設けられている。
【００１０】
次に延長管５は、全体として真直ぐな円筒状を呈する。延長管５の一端部は床面吸込口体６の継手管７に接続し、他端部は手元ハンドル体４に接続する。
使用者は、延長管５の吸込み側に設けられた解除ボタン５ａの操作を行うことにより、床面吸込口体６を延長管５から取り外すことができる。また、使用者は、延長管５の排気側の端部に設けられた伸縮ボタン５ｂを操作することにより、延長管５を伸縮させることができる。
【００１１】
次に、手元ハンドル体４は、延長管５と接続する管体４ａにアーチ状のハンドル４ｂが設けられた形状を成している。管体４ａの吸気側の端部は、延長管５の排気側端部に接続する。
つまり、手元ハンドル体４は、掃除を行う時に使用者が持つ部分であり、操作体となる部位である。使用者は塵挨を吸引する際には、手元ハンドル体４のハンドル４ｂを持ち、この手元ハンドル体４を操作して、床面吸込口体６を被清掃面上に位置する塵埃に近づけて吸引する。
また使用者は、手元ハンドル体４に設けられた解除ボタン４ｃを操作することにより、延長管５を手元ハンドル体４から取り外すことができる。
【００１２】
次に、ホース３は、要部が、可撓性を備えた蛇腹状である中空の部材からなる。ホース３の吸気側の端部は、手元ハンドル体４を構成する管体４ａに接続される。ホース３は、排気側の端部は、硬質の接続部３ａを備え、この接続部３ａが本体２に接続される。
尚、図１の状態では、本体２に開口する本体吸込口２ａに接続している。本体吸込口２ａは、床面吸込口体６から吸込まれた塵挨を含む空気（含塵空気）が本体２の内部に入る開口である。
【００１３】
本体２は、ホース３の接続部３ａが接続し、含塵空気を本体２に備えられた集塵部２ｂに送る。集塵部２ｂでは、空気と塵埃を分離して塵挨を保持する。この本体２は、後部に開口する排気口２ｃより、塵埃が取り除かれた空気（清浄空気）を排出する。空気から分離したごみは、集塵部２ｂの内部に溜められる。
以上のように各部が接続されることで、床面吸込口体６や延長管５から、手元ハンドル体４、ホース３、本体２（集塵部）、そして、排気口２ｃへと至る一続きの風路Ｆ１が形成される。
【００１４】
次に、本体２は内部に電動送風機２ｄと集塵部２ｂを備える。
電動送風機２ｄは、電気掃除機１に形成される風路Ｆ１に、吸込み側である床面吸込口体６から排気口２ｃに向けて本体２内部に流下する気流を発生させる。
電動送風機１１が吸引動作を行うことにより、床面上のごみが空気と一緒に床面吸込口体６に吸い込まれる。床面吸込口体６に吸い込まれた含塵空気は、床面吸込口体６、延長管５、手元ハンドル体４の管体４ａ、ホース３の各内部を通り、本体２に送られる。
【００１５】
集塵部２ｂは、本体２の内部に流入したごみを空気（気流）から分離する。集塵部２ｂは、空気から分離したごみを捕集する。集塵部２ｂは、サイクロン式や紙パック式のものが用いられる。
また、本体２は、両側に大型の車輪２ｅを、下面に小型の車輪２ｆを備える。小型の車輪２ｆは、その向きを自在に変えることができるように取り付けられている。これにより、本体２は、大型の車輪２ｅ及び小型の車輪２ｆが床面に接触した状態で向きを変えることができる。
【００１６】
次に、本発明の要部である床面吸込口体６の説明をする。
図２〜図６を参照すると、床面吸込口体６は、ケース体６０と、このケース体６０の後部の左右中央に設けられる継手管７と、ケース体６０の内部に収容される回転ブラシ６６と、この回転ブラシ６６を駆動するモーターや駆動基板やプーリーやベルトやシャフトからなる駆動部９０を有する。
【００１７】
ケース体６０は、上ケース６１と、この上ケース６１の下側に取り付けられる下ケース６２と、この下ケース６２の下面に取り付けられる下カバー６３を有する。
継手管７は、延長管５と連通して接続することで、床面吸込口体６が吸込んだ塵挨を含む気流を延長管５へと導くための管状の部位であり、上ケース６１と下ケース６２に挟み込まれることで、ケース体６０に取り付けられる。
尚、継手管７は、ケース体６０の候部であり左右中心となる位置に、ケース体６０に取り付けられた位置を中心に、前後方向に動くことが可能に取り付けられている。
【００１８】
次に、図４から図９を参照して下ケース６２について説明する。
下ケース６２は、矩形状を成しており、上面には回転ブラシ６６を駆動する駆動部９０が搭載される駆動部搭載位置６２ａが形成されている。駆動部搭載位置６２ａに駆動部９０が搭載された状態で、下ケース６２の上面を覆うように上ケース６１が取り付けられる。
下ケース６２の下面には、被清掃面である床面から塵挨を取り込む部位であると共に、回転ブラシ６６が設けられる吸込み室６４が形成されている。
【００１９】
吸込み室６４は、下ケース６２の下面から内側に向けて凹んだ領域であり、左右方向に長く形成されている。
吸込み室６４の左右の側壁６４ａには、回転ブラシ６６を回転自在に保持する回転ブラシ保持部６５が設けられている。回転ブラシ６６は両端をそれぞれ保持部６５に保持させることで、吸込み室６４を左右方向にかけ渡すように設けられる。
吸込み室６４を形成する前壁６４ｂは、回転ブラシ６６が保持部６５に保持された状態において、回転ブラシ６６に対して平行となる。
吸込み室６４を形成する後壁６４ｃには、内部に取り込んだ塵挨を継手管７へ送る後開口６４ｄが形成されている。後開口６４ｄは、吸込み室６４の左右方向の中心に位置しており、継手管７と連通している。
【００２０】
また、後壁６４ｃの形状は、後開口６４ｄに近い部分ほど、吸込み室６４内部に設けられた回転ブラシ６６との距離Ｄが遠くなる形状となっている。つまり、回転ブラシ６６の中心部分と後壁６４ｃ（後開口６４ｄ）の距離Ｄ１は、回転ブラシ６６の左右両端と後壁６４ｃの距離Ｄ２より離れている（Ｄ１＞Ｄ２）。
言い換えると、後壁６４ｃは回転ブラシ６６の回転軸の軸方向に対して斜めの壁面となっており、回転ブラシ６６の両端から中心部分に近づくほど、回転ブラシ６６と後壁６４ｃとの間の空間が大きくなる構成となっている。
【００２１】
次に、下ケース６２の下面には下カバー６３が設けられる。下カバー６３は、後壁６４ｃの下端から回転ブラシ６６の間の部分を覆うように下ケース６２の下面に設けられる。つまり、下カバー６３は、回転ブラシ６６と後壁６４ｃの間の空間を下方向から覆う。
尚、吸込み室６４の下方であって下カバー６３に覆われていない部分は、塵挨を吸込み室６４の内部に取り込む位置となる吸込み室開口６４ｈとなる。この吸込み室開口６４ｈには、吸込み室６４に設けられた回転ブラシ６６が臨んだ状態で位置している。
【００２２】
以上のように、吸込み室６４の後壁６４ｃの形状を、後開口６４ｄに近い部分ほど、吸込み室６４内部に設けられた回転ブラシ６６との距離Ｄが遠くなるように構成することで、後壁６４ｃの左右の端から後開口６４ｄに向かって斜めになる（後開口６４ｄに向かって窄む形状となる）ので、回転ブラシ６６が掻き揚げて後方に向けて飛ばした塵挨が、後壁６４ｃに沿って後開口６４ｄへと効率よく吸い込むことができる。
特に、回転ブラシ６６が掻き揚げて後方に向けて飛ばした塵挨が、後壁６４ｃに跳ね返って、再度回転ブラシ６６側に戻ってくることを防ぐことができる。
【００２３】
また、後壁６４ｃと回転ブラシ６６の間の空間を、後開口６４ｄの付近は広く、後開口６４ｄから左右方向に離れるにつれて狭くなるよう構成されているので、吸引動作時の後開口５４ｄ近傍と回転ブラシ６６の両端付近の真空度の差を小さくすることができる。
従って、吸込み室開口６４ｈにおいて、左右方向の各位置の間の吸引力の差を小さくすることができる。つまり、吸込み室開口６４ｈの中央部分から左右端側に至る各部分において、しっかりと吸引力を生じさせることができる。
【００２４】
また、下ケース６２に形成されている吸込み室６４に回転ブラシ６６を取り付けた後、後壁６４ｃの下端から回転ブラシ６６に至る部分を覆う下カバー６３を取り付ける取り付け構造となっているので、吸込み室６４を形成する下ケース６２を一体に形成（１つの部品で構成）することができる。
これにより、吸込み室６４において、部材同士のつなぎ目をなくすことができ、吸引性能を上げることができる。
例えば、複数の部品を組み合わせて吸込み室６４を構成した場合、部品同士のつなぎ目が形成され、吸引動作時に、当該隙間から空気が入り込み、結果として被清掃面に対向する吸込み室開口６４ｈからの吸引力が低下する。
【００２５】
次に、図５〜図６、図８〜図９を参照すると、下カバー６３には、拭き部材６７が設けられている。この拭き部材６７は、下カバー６３が下ケース６２に取り付けられた状態で、吸込み室開口６４ｈの後方に位置するよう、下カバー６３に設けられている。また、拭き部材６７は、Ｖ字形状に配列されており、開放している側が前方（吸込み室開口６４ｈ）を向いている。
このように下カバー６３に拭き部材６７を設けることで、塵挨を中央に掻き集めることで、集塵効率の向上が図れる。また、拭き部材６７が絨毯等の被清掃面に接する際に、接触方向に水平成分が加わるため、押し引きした時の動かしやすさ等の吸込口体の操作性が損なわれることがない。
【００２６】
また、拭き部材６７は、下カバー６３の下面に形成された溝６３ａに、接着剤により取り付けられている。
また、下カバー６３は、溝６３ａが形成されている面の裏面に係合爪６３ｂを複数有しており、この係合爪６３ｂが下ケース６２の下面に形成された係合受け部６２ｂに入り込むことで係合固定し、下ケース６２に固定される。
これにより、拭き部材６７を下カバー６４へ接着剤で貼り付けた時、接着不良を起こし場合であっても、また、使用に伴い拭き部材６７が劣化した場合であっても、拭き部材６７を設けた下カバー６３を交換することができる。つまり、拭き部材６７に問題が生じても、下カバー６３のみを交換することで、下ケース６３を再利用することができる。
【００２７】
また、下カバー６３を透明材および半透明材で構成することで、吸込み室６４の内部を下カバー６３越しに確認することができる。
この場合、下カバー６３において、溝６３ａが位置する裏面に係合爪６３ｂを設けることで、拭き部材６７で係合爪６３ｂを外観らか見えないように隠すことができる。これにより、外観性を向上させることができる。
また、係合爪６３ｂの代わりに下カバー６３の溝６３ａの裏面６３ｄと、下ケース６２の下面とで、超音波溶着や接着剤による溶着や接着による場合でも、溶着部や接着部を拭き部材６７で外観から見えなくすることができる。
【００２８】
また、図５を参照すると、下カバー６３の下面は平板形状であり、継手管７が設けられている位置の下方に至る部分まで、下ケース６２を覆う構成となっている。
この様に構成することで、仕込み室開口６４ｈから下カバー６３の後端にかけて、一体の平らな部材で覆うことから、絨毯などの比較的引っ掛かりやすい被清掃面との接触抵抗を低減することができる。特に、下カバー６３の継手管７が設けられている部分は、継手管７を保持するため、凹凸形状が表面に現れてしまうが、上記の下カバー６３で覆うことにより、被清掃面に引っ掛かりにくい平らな面にすることができる。
これにより、床面吸込口体６の操作性を改善することができる。
【符号の説明】
【００２９】
１  電気掃除機、２  本体、３  ホース、４  手元ハンドル体、５  延長管、６  床面吸込口体、６０  ケース体、６１  上ケース、６２  下ケース、  ６２ａ  駆動部搭載位置、６２ｂ  係合受け部、６３  下カバー、６３ａ  溝、６３  係合爪、６４  吸込み室、６４ａ  側壁、６４ｂ  前壁、６４ｃ  後壁、６４ｈ  吸込み室開口、６５  回転ブラシ保持部、６７  拭き部材、６６  回転ブラシ、９０  駆動部、７  継手管
【図１】
2017018413.tif 000003
【図２】
2017018413.tif 000004
【図３】
2017018413.tif 000005
【図４】
2017018413.tif 000006
【図５】
2017018413.tif 000007
【図６】
2017018413.tif 000008
【図７】
2017018413.tif 000009
【図８】
2017018413.tif 000010
【図９】
2017018413.tif 000011